(57)【要約】【課題】  油脂を確実に微細化できるようにし、汚水の浄化効率の向上を図る。【解決手段】  油脂を含有した汚水が貯留される貯留槽２０と、貯留槽２０の汚水をくみ揚げるポンプ２１と、このポンプ２１でくみ揚げられた汚水を通過させるとともに再び貯留槽２０に戻して通過する汚水に磁場を付与する磁場付与器３０とを備え、この磁場付与器３０を、汚水が通過する通過管３１と、この通過管３１の外側に設けられ通過管３１を通過する汚水に磁場を付与する磁石Ｍと、通過管３１内に設けられ通過管３１の軸Ｘ方向に回転軸線を有するスクリュー４０とを備えて構成した。【選択図】  図１
2005066446.tif 000002
【特許請求の範囲】
【請求項１】
油脂を含有した汚水が貯留される貯留槽と、上記貯留槽の汚水をくみ揚げるポンプと、該ポンプでくみ揚げられた汚水を通過させるとともに再び貯留槽に戻して該通過する汚水に磁場を付与する磁場付与器とを備えた汚水の浄化装置において、
上記磁場付与器を、汚水が通過する通過管と、該通過管の外側に設けられ該通過管を通過する汚水に磁場を付与する磁石と、上記通過管内に設けられ該通過管の軸方向に回転軸線を有するスクリューとを備えて構成したことを特徴とする汚水の浄化装置。
【請求項２】
上記スクリューを上記通過管の軸方向に複数設けたことを特徴とする請求項１記載の汚水の浄化装置。
【請求項３】
上記通過管の軸方向に沿う一外側縁に複数の磁石をこれらの磁石のＮ極，Ｓ極いずれか一方の極が位置するように列設する一方、上記一外側縁に対向する他外側縁に上記一外側縁に列設された磁石に対応した複数の磁石をこれらの磁石のＮ極，Ｓ極いずれか他方の極が位置するように列設したことを特徴とする請求項１または２記載の汚水の浄化装置。
【請求項４】
上記通過管の出口を、上記貯留槽に貯留された汚水の水面より高い位置に設け、該通過管の出口から汚水を該貯留槽に落下させるようにし、該落下する汚水の経路の途中に落下する汚水を飛散させる飛散機構を設けたことを特徴とする請求項１，２または３記載の汚水の浄化装置。
【請求項５】
上記飛散機構を、上記通過管の出口に接続され外周上に複数の噴射口を有した噴射管と、該噴射管の噴射口上部から下向きに拡開し該噴射口から噴射された汚水をガイドするロート状のガイド体と、上端が上記ガイド体内に臨み外側に上記ガイド体から落下する汚水が流下する円錐面を有した円錐体とを備えて構成したことを特徴とする請求項４記載の汚水の浄化装置。
【請求項６】
上記円錐体の下側外周縁に外向きのフランジを設けたことを特徴とする請求項５記載の汚水の浄化装置。
【請求項７】
上記ガイド体を上記円錐体に対して近接離間可能に上記噴射管に設けたことを特徴とする請求項５または６記載の汚水の浄化装置。
【発明の詳細な説明】
【技術分野】
【０００１】
本発明は、食肉工場等から排出され油脂を含有した汚水を浄化するための汚水の浄化装置に関する。
【背景技術】
【０００２】
一般に、例えば、食肉工場では、飼育された家畜を食肉加工した際に不要になって廃棄される油脂を含有した汚水が排出されるが、このような汚水は、例えば、図７に示すような、浄化システムＪａを用いて、ＢＯＤ（生物化学的酸素要求量：Ｂｉｏｃｈｅｍｉｃａｌ  Ｏｘｙｇｅｎ  Ｄｅｍａｎｄ），ＳＳ（浮遊物質：Ｓｕｓｐｅｎｄｅｄ  Ｓｏｉｌｄ），ｎ−Ｈｅｘ（ｎ−ヘキサン抽出物質量）等を除去，低減して処理するようにしている。
【０００３】
この浄化システムＪａは、先ず、予め、図示外のフィルタ等で内部に含まれる汚物の大きさをφ３ｍｍ以下程度の大きさに制限した汚水を処理するもので、この汚水を調整槽１に入れて、それから加圧浮上槽２にて油脂を含む比較的大きな浮遊物質（ＳＳ）を取り除き、それから、曝気槽３で、常在菌等の分解を行ない、最後に沈殿槽４に貯留して、上澄みから河川等５に放流するようにしている。上記の油脂を含む比較的大きな浮遊物質は、汚泥槽６に溜められ、適時に濾布式の脱水機７にて濾過して、固形成分として取出して処理するようにしている。
【０００４】
ところが、この浄化システムＪａにおいては、油脂を含む比較的大きな浮遊物質は、濾布式の脱水機７にて濾過し処理しているが、油脂が比較的大きな分子構造をしていることから、濾布に目詰まりし易く、そのため、濾布を薬品洗浄する頻度が高く、それだけ、処理効率が悪くなっているという問題があった。
【０００５】
このような問題を解決するために、油脂を微細化して、油脂を脱水機７ではなく、曝気槽３でできるだけ分解させるようにすることが考えられる。例えば、調整槽１に油脂を微細化する浄化装置を用いるようにする。
本願発明者らは、汚水に磁場を付与することにより油脂を細分化可能な汚水の浄化装置の導入を検討してきた。
【０００６】
汚水に磁場を付与する装置としては、従来、例えば、特許文献１（特開平１０−２９０９７９号公報）に記載されたものが知られている。
図８に示すように、この汚水の浄化装置Ｄａは、貯留槽１０、曝磁気装置１１、活性炭槽１２、循環パイプ１３、ポンプ１４を備えている。貯留槽１０には汚水送付管１０ａから汚水が送付されてくる。貯留槽１０と活性炭槽１２とは循環パイプ１３で連結されていると共に、活性炭槽１２の前位にはポンプ１４及び曝磁気装置１１が介装されている。ポンプ１４により貯留槽１０中の汚水が曝磁気装置１１を通して活性炭槽１２に送りこまれる。
【０００７】
曝磁気装置１１では、汚水に磁気を付与し、汚水を磁気に晒すことで汚水中の結合した水分子を細分化し、その後、活性炭槽１２において活性炭を使って汚水中の汚濁成分を除去する。活性炭槽１２では、汚濁成分が活性炭の微細孔に蓄積されていくが、水分子同士の結合を細分化することで活性炭の微細孔内を水分が通過しやすくなっており、汚濁成分が活性炭の微細孔に蓄積されても水分のみは活性炭を通過することが容易となり、活性炭に付着した汚濁成分を除去する回数が少なくてすむようにしている。また、汚濁成分を除去するため及びバクテリアによる汚濁成分の生物学的処理を促進するため、活性炭槽１２には空気送付管１５が取り付けてある。この空気送付管１５から活性炭槽１２に、圧力が付された空気が送られ、これにより発生する泡により活性炭に付着した汚濁成分を除去する。
【０００８】
【特許文献１】特開平１０−２９０９７９号公報
【発明の開示】
【発明が解決しようとする課題】
【０００９】
しかしながら、このような従来の汚水の浄化装置Ｄａにあっては、曝磁気装置１１により汚水に磁場を付与して水分子などの微細化を行なっているが、油脂等の汚濁成分においては、必ずしも、磁気の付与だけでは微細化が不十分になっているという問題があり、そのため、この従来の装置を、図７に示すような浄化システムＪａの油脂の微細化に、そのまま利用できないという実情があった。
【００１０】
本発明は上記の問題点に鑑みて為されたもので、油脂を確実に微細化できるようにし、汚水の浄化効率の向上を図り、油脂を含有した汚水の浄化システムに利用できるような汚水の浄化装置を提供することを目的とする。
【課題を解決するための手段】
【００１１】
このような目的を達成するための本発明の汚水の浄化装置は、油脂を含有した汚水が貯留される貯留槽と、上記貯留槽の汚水をくみ揚げるポンプと、該ポンプでくみ揚げられた汚水を通過させるとともに再び貯留槽に戻して該通過する汚水に磁場を付与する磁場付与器とを備えた汚水の浄化装置において、上記磁場付与器を、汚水が通過する通過管と、該通過管の外側に設けられ該通過管を通過する汚水に磁場を付与する磁石と、上記通過管内に設けられ該通過管の軸方向に回転軸線を有するスクリューとを備えて構成している。
【００１２】
従って、この汚水の浄化装置を用いるときは、貯留槽に予め汚水を溜めておく。
次に、ポンプを作動させて貯留槽から汚水をくみ揚げて、磁場付与器の通過管に汚水を通過させる。通過管においては、磁石によって磁場が形成されており、ポンプにより順次、通過管に汚水が流入させられていくと、汚水はこの磁場内を通過するとともに、汚水の流れにより回転させられたスクリューを通過していく。
この場合、汚水は磁石の磁場に晒され、汚水中の油脂は、磁場の磁束により微細化される。また、この際、スクリューの回転により油脂は、スクリューに衝突，切断されて微細化されていく。尚、スクリューにおいては、油脂以外の汚濁物質も微細化される。
そして、汚水中の油脂が微細化されると、油脂の表面積が大きくなり、酸素と結合し易くなるとともに、油脂の常在菌等による分解が促進され、汚水の浄化効率が向上させられる。
【００１３】
また、必要に応じ、上記スクリューを上記通過管の軸方向に複数設けた構成としている。汚水中の油脂が何回も、スクリューに衝突し、切断されるので、微細化が促進される。
【００１４】
更に、必要に応じ、上記通過管の軸方向に沿う一外側縁に複数の磁石をこれらの磁石のＮ極，Ｓ極いずれか一方の極が位置するように列設する一方、上記一外側縁に対向する他外側縁に上記一外側縁に列設された磁石に対応した複数の磁石をこれらの磁石のＮ極，Ｓ極いずれか他方の極が位置するように列設した構成としている。軸方向に沿って一外側縁側から他外側縁にＮ極−Ｓ極間の磁力線列が形成され、この磁力線列を順次横切っていくので、油脂の微細化効率が向上させられる。
【００１５】
更にまた、必要に応じ、上記通過管の出口を、上記貯留槽に貯留された汚水の水面より高い位置に設け、該通過管の出口から汚水を落下させるようにし、該落下する汚水の経路の途中に落下する汚水を飛散させる飛散機構を設けた構成としている。
汚水は落下の際に飛散して、水面から大気中の酸素と結合しやすくなり、そのため、より一層、汚水中の常在菌等が大気中の酸素を利用して油脂を分解させやすくなる。
【００１６】
そしてまた、必要に応じ、上記飛散機構を、上記通過管の出口に接続され外周上に複数の噴射口を有した噴射管と、該噴射管の噴射口の上部から下向きに拡開し該噴射管の噴射口から噴射された汚水をガイドするロート上のガイド体と、上端が上記ガイド体内に臨み外側に上記ガイド体から落下する汚水が流下する円錐面を有した円錐体とを備えて構成している。
【００１７】
通過管の出口から流出した汚水は、噴射管の外周に設けられた噴射口から噴射させられる。この場合、噴射口から噴射した汚水は、ガイド体に衝突して下方に向けられて、円錐体の表面に衝突し、その後、円錐体の表面を流下し、円錐体の外周から下方の貯留槽に向かって落下していくので、汚水は、噴射管から一気に拡散されることになり、それだけ、汚水中の油脂が微細化されやすくなる。また、ガイド体に衝突して下方に向けられ、更に、円錐体の表面を流下するので、汚水の落下の際の滞空時間を長くすることができ、それだけ、空気との接触頻度が高くなり、汚水中の油脂の分解や酸化が促進され、汚水の浄化効率が向上させられる。
【００１８】
また、必要に応じ、上記円錐体の外端周縁に外向きのフランジを設けている。円錐体を流下してきた汚水はフランジに至って、このフランジの外周から外向きに拡散していく。そのため、フランジの外周縁からそのまま落下させた場合よりも、遠い位置に落下するので、その分空気との接触頻度が高くなり、汚水中の油脂の分解や酸化が促進され、汚水の浄化効率が向上させられる。
【発明の効果】
【００１９】
以上説明したように、本発明の汚水の浄化装置によれば、汚水をくみ揚げて磁場付与器の通過管に通過させるので、通過管において、汚水を磁石の磁場に晒して汚水中の油脂を、磁場の磁束により微細化することができるとともに、スクリューの回転によっても切断して微細化することができ、それだけ、酸素と結合し易くして、常在菌等による分解を促進することができ、汚水の浄化効率を向上させることができる。また、スクリューにおいては、油脂以外の汚濁物質も微細化されることになり、これらも酸化，分解されやすくなるので、より一層汚水の浄化効率を向上させることができる。
また、汚水を飛散させる飛散機構を設けた場合には、汚水は落下の際に飛散するので、水面から大気中の酸素と結合しやすくなり、そのため、より一層、汚水中の常在菌等が大気中の酸素を利用して油脂を分解させやすくなり、浄化効率を向上させることができる。
【発明を実施するための最良の形態】
【００２０】
以下、添付図面に基づいて、本発明を実施するための最良の形態に係る汚水の浄化装置について詳細に説明する。
【００２１】
図１乃至図６に示す本発明の実施の形態に係る汚水の浄化装置は、図６に示す汚水の浄化システムに用いられる。図６に示す汚水の浄化システムＪは、予め、図示外のフィルタ等で内部に含まれる汚物の大きさをφ３ｍｍ以下程度の大きさに制限した油脂を含有する汚水を処理するもので、調整槽１ａとして設けられる本実施の形態に係る浄化装置Ｄと、この浄化装置Ｄで処理された汚水を微生物処理する曝気槽３と、曝気槽３で処理された汚水を沈澱処理する沈殿槽４とを備えて構成されている。
【００２２】
本発明の実施の形態に係る汚水の浄化装置Ｄの基本的構成は、図１及び図６に示すように、油脂を含有した汚水が貯留される貯留槽２０と、貯留槽２０の汚水をくみ揚げるポンプ２１と、ポンプ２１でくみ揚げられた汚水を通過させるとともに再び貯留槽２０に戻してこの通過する汚水に磁場を付与する磁場付与器３０とを備えて構成されている。
【００２３】
貯留槽２０には、フィルタ等で予め内部に含まれる油脂などの汚物の大きさがφ３ｍｍ程度の大きさに制限された汚水の原水が注ぎ込まれている。
ポンプ２１は、この貯留槽２０の内部に位置し、汚水をくみ揚げて磁場付与器３０の後述の通過管３１に汚水を送給するもので、その吐出圧は約０．２ＭＰａ程度に調整されている。
【００２４】
磁場付与器３０は、図１及び図２に示すように、汚水の通過する通過管３１と、通過管３１の外側に設けられこの通過管３１を通過する汚水に磁場を付与する磁石Ｍと、この通過管３１内に設けられ通過管３１の軸Ｘ方向に回転軸線を有するスクリュー４０とを備えて構成されている。
【００２５】
通過管３１は、図２に示すように、例えば、ステンレス等の金属で形成され、水平な軸を有した直管３２と、直管３２の両端に夫々設けられる一対のＴ字状管３３とを備えている。
Ｔ字状管３３は、直管３２の軸Ｘ１（Ｘ）と同軸の軸Ｘ２（Ｘ）を有した管状に形成され直管３２の両端に接続される本体部３４と、この本体部３４の側部に本体部３４に直角に設けられる接続部３５とを備えている。本体部３４は、一端３６が直管３２に接続され、他端３７にはスクリュー４０の後述の回転軸４１を固定支持する軸受け３７ａが設けられている。
【００２６】
一対のＴ字状管３３のうち、一方のＴ字状管３３の接続部３５はポンプ２１から吐出された汚水が流入する入口３５ａとして構成され、他方のＴ字状管３３の接続部３５は通過管３１に流入した汚水が流出する出口３５ｂとして構成されている。
【００２７】
通過管３１の直管３２には、その外周に、通過管３１の軸Ｘ（Ｘ１）方向に沿う一外側縁３８に複数の磁石Ｍをこれらの磁石ＭのＮ極（Ｎ），Ｓ極（Ｓ）いずれか一方の極が位置するように列設する一方、一外側縁３８に対向する他外側縁３９に一外側縁３８に列設された磁石Ｍに対応した複数の磁石Ｍをこれらの磁石ＭのＮ極（Ｎ），Ｓ極（Ｓ）いずれか他方の極が位置するように列設されている。
本発明の実施の形態に係る浄化装置Ｄにおいては、一外側縁３８に列設された磁石ＭはＳ極のある面を、他外側縁３９に列設された磁石ＭはＮ極（Ｎ）のある面を通過管３１側に向けて位置させられている。
図２中、符号３２ａは各磁石Ｍを覆い通過管３１と同軸の磁気漏洩防止を行なう管状のカバー、符号３２ｂは通過管３１に外嵌され各磁石Ｍを付設保持する保持管である。
【００２８】
磁石Ｍは、例えば、フェライト製のセラミックマグネットで形成され、直管３２の内部に、１０００ガウス〜５０００ガウスの磁束、実施の形態では１８００ガウスの磁束を作用させる。
【００２９】
スクリュー４０は回転軸４１に対して回転自在に設けられている。スクリュー４０及び回転軸４１は、例えば、ステンレス等の金属で形成されている。回転軸４１は、直管３２の軸Ｘ１（Ｘ）及びＴ字状管３３の本体部３４の軸Ｘ２（Ｘ）に同軸に設けられ、その両端は、Ｔ字状管３３の本体部３４の他端に設けられる軸受け３７ａに固定支持されている。
スクリュー４０は、軸方向に所定間隔で複数（実施の形態では２個）設けられている。また、これらのスクリュー４０は、直管３２を流れる汚水を受けて、同方向に回転させられるように形成されている。
【００３０】
また、図１及び図６に示すように、通過管３１の出口３５ｂは、貯留槽２０に貯留された汚水の水面より高い位置に設けられ、通過管３１の出口３５ｂから汚水を落下させるようにしてある。そして、落下する汚水の経路の途中には、落下する汚水を飛散させる飛散機構４５が設けられている。
【００３１】
詳しくは、飛散機構４５は、図３乃至図５に示すように、通過管３１の出口３５ｂに接続された分岐管４４の左右の出口に接続され外周上に複数の噴射口４６ａを有した一対の噴射管４６と、各噴射管４６の噴射口４６ａの上部から下向きに拡開しこの噴射管４６の噴射口４６ａから噴射された汚水をガイドするロート状のガイド体４７と、上端がガイド体４７内に臨み外側にガイド体４７から落下する汚水が流下する円錐面４８ａを有した円錐体４８とを備えている。
【００３２】
噴射管４６は、図３乃至図５に示すように、例えば、金属製であり、その先端４６ｂには、円錐体４８が吊下保持されている。噴射管４６の外周には、噴射口４６ａが複数（実施の形態では４個）設けられている。
ガイド体４７は、例えば、金属板をプレス成形して形成され、ガイド体４７の上部に設けられ噴射管４６に挿通される基端部４９と、基端部４９から拡開されてなる拡開部５０とを備えている。ガイド体４７は、基端部４９の噴射管４６に対する上下位置を調整することにより円錐体４８に対して近接離間可能になっており、適宜の位置で基端部４９にねじ込まれたボルト４９ａにより噴射管４６に固定されている。
【００３３】
円錐体４８は、例えば、金属板をプレス成形して形成され、図４に示すように、噴射管４６の先端４６ｂにこの円錐体４８の頭頂部５１を接合し、この接合部位をボルト５４及びナット５５で締め付けて固定することにより、噴射管４６に吊下保持されている。また、図１及び図３に示すように、円錐体４８の下側外周縁５２には、外向きのフランジ５３が設けられている。
【００３４】
また、汚水が通過するガイド体４７の拡開部５０の下端縁５０ａと円錐体４８の円錐面４８ａとの間の隙間は、飛散機構４５のガイド体４７を上にスライドさせると拡張し、下にスライドさせると縮小する。これにより、汚水が通過する隙間を調整して、汚水の流勢を調節し、汚水を飛散させ易くする。予め、ガイド体４７をスライドさせて、ガイド体４７の下端縁５０ａと円錐体４８の円錐面４８ａとの間の汚水が通過する隙間を所望の大きさに調整しておく。
【００３５】
従って、図６に示すこの汚水の浄化システムＪにおいては、フィルタ等で予め内部に含まれる油脂の大きさがφ３ｍｍ程度の大きさに制限された汚水の原水が処理される。先ず、汚水は、調整槽としての本実施の形態に係る浄化装置Ｄで処理される。
本実施の形態に係る浄化装置Ｄにおいては、油脂を含有する汚水の原水が貯留槽２０に注ぎ込まれて、汚水が貯留される。
【００３６】
この状態で、ポンプ２１を作動させる。これにより、ポンプ２１が貯留槽２０に貯留された汚水をくみ揚げて、磁場付与器３０の通過管３１に汚水を送給する。通過管３１の入口から汚水が送給されると、この汚水は、ポンプ２１により順次、Ｔ字状管３３を介して、直管３２に流入していく。
この際、直管３２に流入した汚水は、スクリュー４０を回転させるとともに、直管３２中の磁石Ｍにより形成される磁場に晒される。直管３２を流れる汚水中の油脂は、磁場の磁束により微細化され、また、回転するスクリュー４０に衝突したりし、スクリュー４０に切断されていき、相乗的に油脂の微細化が行なわれていく。また、磁石Ｍが複数設けられ軸方向に沿って一外側縁側から他外側縁にＮ極−Ｓ極間の磁力線列が形成されるので、汚水がこの磁力線列を順次横切っていくことになり、それだけ、油脂の微細化効率が向上させられる。この場合、油脂以外の汚物も回転するスクリュー４０に衝突したりし、スクリュー４０に切断されていき、微細化されていく。
【００３７】
また、スクリュー４０が複数設けられているので、汚水中の油脂は、何回もスクリュー４０に衝突，切断されるので、この点でも汚水中の油脂の微細化が促進させられる。
そして、汚水中の油脂が微細化されると、油脂の表面積が大きくなり、酸素と結合し易くなるとともに、油脂中の常在菌等による分解が促進され易くなり、汚水の浄化効率が向上させられる。
【００３８】
また次に、通過管３１の出口から流出した汚水は、飛散機構４５の噴射管４６に流入していく。噴射管４６に流入した汚水は、噴射管４６の先端に至り、噴射管４６の外周に設けられた噴射口４６ａから噴射させられる。
噴射口４６ａから噴射した汚水は、ガイド体４７に衝突して下方に向けられて、円錐体４８の表面に衝突し、その後、円錐体４８の円錐面４８ａを流下していき、フランジ５３の外周に至って、このフランジ５３の外周から外向きに下方の貯留槽２０に向かって落下していく。
【００３９】
この場合、噴射口４６ａから噴出した汚水は、落下の際に、水面から大気中の酸素と結合して酸化したり、汚水中の常在菌が大気中の酸素を利用して微細化された油脂を分解していく。また、汚水は噴射管４６から一気に拡散されることになり、それだけ、汚水中の油脂が微細化されやすくなる。更に、ガイド体４７に衝突して下方に向けられ、更に、円錐体４８の表面を流下するので、汚水の落下の際の滞空時間を長くすることができ、それだけ、空気との接触頻度が高くなり、汚水中の油脂の分解や酸化が促進され、汚水の浄化効率が向上させられる。
【００４０】
更にまた、汚水は、フランジ５３の外周縁から外向きの方向に落下させられるので、そのまま落下させた場合よりも、遠い位置に落下するので、それだけ、汚水中の油脂が空気との接触頻度が高くなり汚水中の油脂の分解や酸化が促進され汚水の浄化効率が向上させられる。
【００４１】
次に、貯留槽２０に落下した汚水は、貯留槽２０に溜められた汚水と混ざるとともに、ポンプ２１により再び磁場付与器３０に循環させられ、汚物の微細化が行なわれる。そして、連続あるいは間欠に、貯留槽２０（調整槽１ａ）に設けられる汚水をくみ揚げるポンプ６０により曝気槽３に送出される。
曝気槽３では、ブロア３ａにより、曝気槽３内の貯留槽２０から送出されて溜まった汚水中に空気が吹き込まれる。そして、曝気槽３内では、この吹き込まれた空気により、油脂が、汚水中に含まれる常在菌のうちの好気性菌に分解されたり、当該空気により酸化される。そのため、汚水中のＢＯＤやＳＳが除去，低減されていき、汚水の浄化効率が向上させられる。
この際、調整槽１ａにおいて、油脂の微細化が十分に行なわれているので、曝気槽３において、分解，酸化が効率よく行なわれ、汚水の浄化効率が向上させられる。また、油脂以外の汚濁成分も、微細化されているので、分解されやすくなる。
これにより、油脂は微細化されるので、上記従来の脱水機が不要になり、処理効率が向上させられる。
【００４２】
曝気槽３で空気を充分に吹き込まれた汚水中の浮遊物質（ＳＳ）のほとんどは、空気に酸化されたり、好気性菌に分解されるが、骨のような分解されにくいものは浮遊物質（ＳＳ）として残ってしまう。この汚水中の分解されないで残った浮遊物質（ＳＳ）は、沈殿槽４で沈殿させられる。そして、この沈殿槽４で、この浮遊物質（ＳＳ）を沈殿させて除去，低減した後に、この沈殿槽の上澄みが河川等に放流される。
【産業上の利用可能性】
【００４３】
本発明は、上述した食肉工場に限らず、家畜を飼育する畜舎等から排出される糞尿あるいは、飲食を提供する施設から排出された生ゴミ等を含んだ汚水の処理等多方面に利用することができ、極めて有用になる。
【図面の簡単な説明】
【００４４】
【図１】本発明の実施の形態に係る汚水の浄化装置を示す全体図である。
【図２】本発明の実施の形態に係る汚水の浄化装置の磁場付与器を示す拡大断面図である。
【図３】本発明の実施の形態に係る汚水の浄化装置の飛散機構を示す半断面図である。
【図４】本発明の実施の形態に係る汚水の浄化装置の飛散機構の要部を示す一部断面図である。
【図５】本発明の実施の形態に係る汚水の浄化装置の飛散機構においてガイド体の位置調整の状態を示す図である。
【図６】本発明の実施の形態に係る汚水の浄化装置が設けられる浄化システムを示す図である。
【図７】従来の汚水の浄化装置が設けられる浄化システムの一例を示す図である。
【図８】従来の汚水の浄化装置の一例を示す図である。
【符号の説明】
【００４５】
Ｊ  汚水浄化システム
Ｄ  汚水の浄化装置
Ｍ  磁石
Ｎ  Ｎ極
Ｓ  Ｓ極
Ｘ  通過管の軸
Ｘ１  直管の軸
Ｘ２  Ｔ字状管の軸
２０  貯留槽
２１  ポンプ
３０  磁場付与器
３１  通過管
３２  直管
３３  Ｔ字状管
３４  本体部
３５  接続部
３５ａ  入口
３５ｂ  出口
３６  Ｔ字状管の一端
３７  Ｔ字状管の他端
３７ａ  軸受け
３８  一外側縁
３９  他外側縁
４０  スクリュー
４１  回転軸
４４  分岐管
４５  飛散機構
４６  噴射管
４６ａ  噴射口
４７  ガイド体
４８  円錐体
４８ａ  円錐面
４９  基端部
５０  拡開部
５１  頭頂部
５２  円錐体の下側外周縁
５３  フランジ
【図１】
2005066446.tif 000003
【図２】
2005066446.tif 000004
【図３】
2005066446.tif 000005
【図４】
2005066446.tif 000006
【図５】
2005066446.tif 000007
【図６】
2005066446.tif 000008
【図７】
2005066446.tif 000009
【図８】
2005066446.tif 000010